(57)【要約】【課題】枠組み足場の外側に補助の足場板を架設する場合などに活用される、長さ調整可能な足場板支持部材１を備えた足場板支持用ブラケットを改良する。【解決手段】足場板支持部材１は、丸パイプ材から構成され且つ内端に前記垂直部材２が取り付けられた固定筒部１Ａと、当該固定筒部１Ａに出退移動自在に内嵌された可動筒部１Ｂとから成り、前記可動筒部１Ｂは、下部が長さ方向全長にわたって開放された断面略Ｃ形の形材から構成されたもので、その外端に足場板落下止め突出片６が付設され、前記固定筒部１Ａの外端部下側に設けられたねじ孔１８ａを上下方向に螺合貫通すると共に前記可動筒部１Ｂの下側開放溝部１６を貫通する締結用ボルト１９が設けられ、当該締結用ボルト１９の先端で前記可動筒部１Ｂの天井部１７ａを前記固定筒部１Ａの内周面に押圧できる構成。【選択図】図１
2006070486.tif 000002
【特許請求の範囲】
【請求項１】
水平の足場板支持部材と、当該足場板支持部材の内端から垂下する垂直部材と、当該垂直部材に取り付けられたパイプクランプとを備えた足場板支持用ブラケットであって、前記足場板支持部材は、丸パイプ材から構成され且つ内端に前記垂直部材が取り付けられた固定筒部と、当該固定筒部に出退移動自在に内嵌された可動筒部とから成り、前記可動筒部は、下部が長さ方向全長にわたって開放された断面略Ｃ形の形材から構成されたもので、その外端に足場板落下止め突出片が付設され、前記固定筒部の外端部下側に設けられたねじ孔を上下方向に螺合貫通すると共に前記可動筒部の下側開放溝部を貫通する締結用ボルトが設けられ、当該締結用ボルトの先端で前記可動筒部の天井部を前記固定筒部の内周面に押圧できるように構成された、足場板支持用ブラケット。
【請求項２】
前記可動筒部の下側開放溝部は、少なくともその内端側に溝幅の狭い部分が設けられ、この溝幅の狭い部分と前記締結用ボルトとの当接で前記可動筒部を抜け止めできるように構成された、請求項１に記載の足場板支持用ブラケット。
【請求項３】
前記固定筒部の外端近傍下側から斜め内向きに支持部材が連設された足場板支持用ブラケットであって、当該支持部材と前記前記固定筒部とはブラインドリベットで固着され、このブラインドリベットの内側頭部が前記可動筒部の下側開放溝部における内端側の溝幅の狭い部分を通過できるように構成された、請求項２に記載の足場板支持用ブラケット。
【請求項４】
前記可動筒部の外端には左右一対の舌片が突設され、この各舌片を前記足場板落下止め突出片に設けられた左右一対の係止孔に挿通させた状態で先端を曲げ加工して、当該足場板落下止め突出片を前記可動筒部の外端に当接固着している、請求項１〜３の何れかに記載の足場板支持用ブラケット。
【発明の詳細な説明】
【技術分野】
【０００１】
本発明は、枠組み足場の外側に補助の足場板を架設する場合などに活用される足場板支持用ブラケットに関するものである。
【背景技術】
【０００２】
この種の足場板支持用ブラケットは、水平の足場板支持部材と、当該足場板支持部材の内端から垂下する垂直部材と、当該垂直部材に取り付けられたパイプクランプとを備えたものであるが、特許文献１にも記載されるように、使用する足場板の幅に応じて前記足場板支持部材を伸縮構造にすることが知られているが、当該足場板支持部材の伸縮構造は、特許文献１にも記載されているように、丸パイプ材から構成され且つ内端に前記垂直部材が取り付けられた固定パイプ材と、当該固定パイプ材に出退移動自在に内嵌された可動パイプ材とから構成し、固定パイプ材の外端部下側に設けられたねじ孔を上下方向に螺合貫通する締結用ボルトで可動パイプ材の外周面を押圧させて固定パイプ材に固定できるように構成したものであった。
【特許文献１】特公昭５９−２２８４４号公報
【発明の開示】
【発明が解決しようとする課題】
【０００３】
上記のような従来の足場板支持部材の伸縮構造では、可動パイプ材の外端に固着される足場板落下止め突出片を上向きに固定するために可動パイプ材の自転を止める必要があり、このため前記締結用ボルトの先端が嵌合する凹溝を可動パイプ材の周壁下側に軸心方向に沿って形成しなければならない。また、このように締結用ボルトの先端が嵌合する凹溝を可動パイプ材側に設けても、固定パイプ材から内側への締結用ボルトの進入量が少ないので、特許文献１にも記載されるように、固定パイプ材の外端部下側にねじ孔を構成するためにナットを溶接するなどして、当該ねじ孔の長さを長くしなければ、締結用ボルトの取付強度が低くなる問題点もあった。
【課題を解決するための手段】
【０００４】
本発明は上記のような従来の問題点を解消し得る足場板支持用ブラケットを提供することを目的とするものであって、その手段を後述する実施形態の参照符号を付して示すと、水平の足場板支持部材１と、当該足場板支持部材１の内端から垂下する垂直部材２と、当該垂直部材２に取り付けられたパイプクランプ４とを備えた足場板支持用ブラケットであって、前記足場板支持部材１は、丸パイプ材から構成され且つ内端に前記垂直部材２が取り付けられた固定筒部１Ａと、当該固定筒部１Ａに出退移動自在に内嵌された可動筒部１Ｂとから成り、前記可動筒部１Ｂは、下部が長さ方向全長にわたって開放された断面略Ｃ形の形材から構成されたもので、その外端に足場板落下止め突出片６が付設され、前記固定筒部１Ａの外端部下側に設けられたねじ孔１８ａを上下方向に螺合貫通すると共に前記可動筒部１Ｂの下側開放溝部１６を貫通する締結用ボルト１９が設けられ、当該締結用ボルト１９の先端で前記可動筒部１Ｂの天井部１７ａを前記固定筒部１Ａの内周面に押圧できる構成となっている。
【０００５】
上記構成の本発明を実施するについて、請求項２に記載のように、前記可動筒部１Ｂの下側開放溝部１６には、少なくともその内端側に溝幅の狭い部分１６ａを設け、この溝幅の狭い部分１６ａと前記締結用ボルト１９とで前記可動筒部１Ｂを抜け止めできるように構成することができる。
【０００６】
また、前記固定筒部１Ａの外端近傍下側から斜め内向きに支持部材３が連設された足場板支持用ブラケットである場合、請求項３に記載のように、前記支持部材３と前記前記固定筒部１Ａとはブラインドリベット１０で固着し、このブラインドリベット１０の内側頭部が前記可動筒部１Ｂの下側開放溝部１６における内端側の溝幅の狭い部分１６ａを通過できるように構成することができる。
【０００７】
また、前記可動筒部１Ｂの外端に対する前記足場板落下止め突出片６の取り付けは、溶接、リベット、その他任意の手段で行うことができるが、請求項４に記載のように、前記可動筒部１Ｂの外端に左右一対の舌片２１ａ，２１ｂを突設しておき、この各舌片２１ａ，２１ｂを前記足場板落下止め突出片６に設けられた左右一対の係止孔２２ａ，２２ｂに挿通させた状態で先端を曲げ加工して、当該足場板落下止め突出片６を前記可動筒部１Ｂの外端に当接固着させることができる。
【発明の効果】
【０００８】
上記構成の本発明に係る足場板支持用ブラケットによれば、足場板支持部材の固定筒部に出退移動自在に内嵌された可動筒部は、板材を断面門形に成形して構成できるものであって、従来のように丸パイプ材の周面に凹溝を成形しなければならない場合と比較して、軽量安価に実施することができる。そして締結用ボルトが可動筒部の下側解放溝部を貫通することによって、当該可動筒部の自転を防止でき、当該可動筒部の外端に付設される足場板落下止め突出片の向きを上向きに固定できるのであるが、この構成により締結用ボルトは固定筒部の内径に近い進入量で当該固定筒部内に進入することになり、仮に固定筒部に設けられるねじ孔の長さが比較的短くとも、締結用ボルトの取付強度を高めることができる。従って、固定筒部の周壁に形成したバーリング筒部を利用してねじ孔を構成する場合でも、締結用ボルトの外端頭部に他物がぶつかるような事態に際して、締結用ボルトの向きがねじ孔と共に曲がってしまうような不都合を回避できる。
【０００９】
尚、請求項２に記載の構成によれば、締結用ボルトを固定筒部の内径に近い長さ分だけ弛緩操作して退出させない限り、前記可動筒部が固定筒部から抜け出してしまうことがないので、不用意に締結用ボルトを弛緩操作したために可動筒部が固定筒部から離脱してしまうというような不都合が生じるのを防止できる。
【００１０】
また、固定筒部の外端近傍下側から斜め内向きに支持部材が連設された足場板支持用ブラケットである場合、請求項３に記載の構成によれば、前記支持部材と前記前記固定筒部とを溶接ではなくブラインドリベットで固着することができるものであるにもかかわらず、当該ブラインドリベットの内側頭部に邪魔されることなく後から可動筒部を固定筒部に組み込むことができ、組立作業を容易にすることができる。
【００１１】
更に、請求項４に記載の構成によれば、前記可動筒部の外端に対する足場板落下止め突出片の取り付けを、リベットなどの他の止め具や溶接を使用せずに、簡単容易に行うことができ、一層のコストダウンを図ることができる。
【発明を実施するための最良の形態】
【００１２】
以下に本発明の具体的実施例を添付図に基づいて説明すると、図１〜図３において、１は足場板支持部材、２は垂直部材、３は支持部材、４はパイプクランプ、５は嵌合部材、６は足場板落下止め突出片である。足場板支持部材１は、丸パイプ材から成る固定筒部１Ａと当該固定筒部１Ａに出退移動自在に内嵌された可動筒部１Ｂとから成る伸縮自在構造のものであって、固定筒部１Ａのパイプ内端部１ａに垂直部材２の上端部が直角に取り付けられ、可動筒部１Ｂの外端に足場板落下止め突出片６が取り付けられている。支持部材３は垂直部材２の下端部と足場板支持部材１における固定筒部１Ａの外端寄り位置との間に斜めに架設されている。
【００１３】
以下、更に詳述すると、図１Ａ、図２、及び図６に示すように、垂直部材２には横断面溝形の形材が使用され、その左右両側板部２ａ，２ｂと底板部２ｃ、及び垂直部材２の上端に左右両側板部２ａ，２ｂと底板部２ｃとから一体に連設された天板部２ｄを有し、これら左右両側板部２ａ，２ｂの上端部と天板部２ｄとで、この垂直部材２の横幅よりも外径の大きな前記足場板支持部材１（固定筒部１Ａ）のパイプ内端部１ａが軸心方向に抜き差しのみ可能に内嵌するパイプ端嵌合部７が形成されている。また、このパイプ端嵌合部７の上面を形成する天板部２ｄは、外側略半分が切除されて切欠き部８となっている。而して、このパイプ端嵌合部７に足場板支持部材１（固定筒部１Ａ）のパイプ内端部１ａを差し込んだ状態で、パイプ端嵌合部７の周壁となる左右両側板部２ａ，２ｂの上端部に、固定筒部１Ａのパイプ内端部１ａの周壁を貫通するように内側に突出する左右一対のバーリング筒部９が互いに同心状に形成され、当該左右一対のバーリング筒部９によって、足場板支持部材１（固定筒部１Ａ）のパイプ内端部１ａと垂直部材２のパイプ端嵌合部７とが互いに固着されている。
【００１４】
尚、左右一対のバーリング筒部９の形成に関しては、固定筒部１Ａのパイプ内端部１ａの周壁にバーリング筒部９が密に内嵌する直径の貫通孔が前以って設けられると共に、パイプ端嵌合部７の周壁（垂直部材２の左右両側板部２ａ，２ｂ）には、バーリング筒部９の形成のための小径の貫通孔が前以って設けられている。
【００１５】
支持部材３は、図１Ａ、図３、及び図７に示すように、垂直部材２に使用した横断面溝形の形材内（左右両側板部２ａ，２ｂ間）に嵌めることができる横断面溝形の形材から成るもので、その長さ方向両端には、当該形材の左右両側板部３ａ，３ｂと底板部３ｃと一体で当該左右両側板部３ａ，３ｂ間を閉じるようにプレス成形された取付板部３ｄ，３ｅを備えており、上端の取付板部３ｄは、足場板支持部材１の固定筒部１Ａの底部に面当接し得る断面円弧形に成形され、当該取付板部３ｄと足場板支持部材１の固定筒部１Ａの底部とが、２本のブラインドリベット１０により互いに固着され、下端の取付板部３ｅは、垂直部材２の左右両側板部２ａ，２ｂ間に嵌合して、嵌合部材５の取付板部５ｄとの間で垂直部材２の底板部２ｃを挟む状態で垂直部材２の底板部２ｃに当接し、これら互いに重なる三者を貫通する２本のリベット１１により嵌合部材５と共に垂直部材２の下端に固着されている。
【００１６】
嵌合部材５は、図１Ａ及び図７に示すように鉄板を平面形状略Ｖ字形にプレス加工して構成されたもので、その左右一対のアーム部５ａ，５ｂの先端間にわたって連続する偏平溝形の補強用リブ５ｃが外側に突出するように一体成形され、当該補強用リブ５ｃの底板部で前記取付板部５ｄが構成されている。従って、この嵌合部材５を垂直部材２に固着するリベット１１の頭部は、補強用リブ５ｃ内に納まることになる。
【００１７】
パイプクランプ４は従来周知のもので、図２に示すように、ベース部４ａの一端に押さえ部材４ｂを支軸４ｃにより開閉自在に軸支すると共に、ベース部４ａの他端に支軸４ｄで揺動自在に軸支した締結ボルト４ｅを押さえ部材４ｂの遊端に係合させた状態で、締結ボルト４ｅに螺嵌するナット４ｆを締め付けることにより、ベース部４ａと押さえ部材４ｂとで挟持した鋼管Ｐをクランプするように構成されている。而して、垂直部材２には、図１Ａ及び図６に示すように、その上端のパイプ端嵌合部７の直下で底板部２ｃに、内側に突出するバーリング筒部１２で形成された取付用貫通ねじ孔１２ａが設けられており、パイプクランプ４のベース部４ａをその内側から貫通する取付用ボルト１３を前記取付用貫通ねじ孔１２ａに螺合締結させることにより、パイプクランプ４が垂直部材２に取り付けられているが、パイプクランプ４が取付用ボルト１３の周りで自転するのを防止するために、図１Ｂに示すように、パイプクランプ４のベース部４ａから外向きに突設された回り止め用突起１４が垂直部材２の底板部２ｃに設けられた回り止め用孔１５に嵌合するように構成されている。
【００１８】
足場板支持部材１の可動筒部１Ｂは、図１、図２、及び図４に示すように、固定筒部１Ａ内に軸心方向の移動と自転のみ可能に内嵌し得るもので、下部が長さ方向全長にわたって開放された断面略Ｃ形の形材から構成され、下側開放溝部１６を形成する底部と天井部１７ａとは断面円弧形であるが、左右両側部１７ｂ，１７ｃは、下向き荷重に対する曲げ強度を高めるために垂直に形成されている。而して、この可動筒部１Ｂの下側開放溝部１６は、長さ方向の両端に溝幅が狭くなった狭幅部分１６ａ，１６ｂを備えている。この狭幅部分１６ａ，１６ｂは、支持部材３と足場板支持部材１の固定筒部１Ａとを結合するブラインドリベット１０の内側頭部の直径より幅広であって、支持部材３が取り付けられている固定筒部１Ａに対して後から可動筒部１Ｂを挿入できるように構成されている。
【００１９】
図１に示すように、足場板支持部材１における固定筒部１Ａの外端部下側には、下向きに突出するように形成されたバーリング筒部１８によって構成された上下方向の貫通ねじ孔１８ａが設けられ、この貫通ねじ孔１８ａを外から内向きに螺合貫通する締結用ボルト１９が可動筒部１Ｂの下側開放溝部１６を貫通し、その先端が当該可動筒部１Ｂの天井部１７ａに隣接している。この締結用ボルト１９の直径は、図４に示すように、下側開放溝部１６の溝幅よりも小さいが下側開放溝部１６の両端の狭幅部分１６ａ，１６ｂの溝幅よりも大きい。従って、締結用ボルト１９が組み込まれた状態では、可動筒部１Ｂが固定筒部１Ａから抜け出ることが締結用ボルト１９と下側開放溝部１６の内端側の狭幅部分１６ａとの引っ掛かりにより防止される。尚、固定筒部１Ａの外端部上側に設けられた貫通孔２０（図１参照）は、バーリング筒部１８の形成時のバーリング加工用型の昇降孔である。
【００２０】
足場板落下止め突出片６は、図１Ａ及び図３に示すように、足場板支持部材１の可動筒部１Ｂの外端を塞ぐ取付板部６ａから上方に突出する突出板部６ｂに足場板側辺釘止め用釘孔６ｃを設けたものである。一方、足場板落下止め突出片６が取り付けられる足場板支持部材１の可動筒部１Ｂの外端には、図４及び図５に示すように、その垂直な左右両側部１７ｂ，１７ｃから一体に突設された左右一対の舌片２１ａ，２１ｂが設けられ、足場板落下止め突出片６の取付板部６ａには、前記舌片２１ａ，２１ｂが挿入される左右一対の係止孔２２ａ，２２ｂが設けられている。而して、可動筒部１Ｂの外端に足場板落下止め突出片６を、舌片２１ａ，２１ｂが係止孔２２ａ，２２ｂに挿入されるように当接させ、係止孔２２ａ，２２ｂからそれぞれ突出する舌片２１ａ，２１ｂの先端部を互いに離間する左右外向きに折曲させることにより、可動筒部１Ｂの外端に足場板落下止め突出片６が固着されているが、足場板落下止め突出片６の外側に舌片２１ａ，２１ｂの先端折曲部が突出するのを防ぐために、足場板落下止め突出片６の取付板部６ａには、舌片２１ａ，２１ｂの先端折曲部が嵌合する凹溝部２３ａ，２３ｂが、当該取付板部６ａの内側へのプレス加工により成形されている。
【００２１】
また、足場板落下止め突出片６の取付板部６ａの中心には、必要に応じてこの足場板落下止め突出片６の外側にパイプクランプを取り付ける際に使用する貫通ねじ孔２４ａ（垂直部材２に設けた取付用貫通ねじ孔１２ａに相当するもの）が取付板部６ａから内向きに突出するバーリング筒部２４によって形成されている。また図３Ａに示すように、取付板部６ａには、前記貫通ねじ孔２４ａを利用してパイプクランプを足場板落下止め突出片６の外側に取り付ける際に当該パイプクランプの回り止めとなる回り止め用凹部２５（垂直部材２に設けた回り止め用孔１５に相当するもの）が設けられている。
【００２２】
尚、足場板支持部材１の固定筒部１Ａの内周面には、図１Ａ及び図６に示すように、溶接ビード１ｂが軸心方向に沿って存在しており、この溶接ビード１ｂが固定筒部１Ａの中心に対して真下に位置するように、垂直部材２を取り付けるバーリング筒部９の嵌合する貫通孔や支持部材３を取り付けるブラインドリベット１０の下孔が固定筒部１Ａに設けられている。従って、当該固定筒部１Ａに可動筒部１Ｂを組み込んだとき、可動筒部１Ｂの下側開放溝部１６内に固定筒部１Ａの溶接ビード１ｂが位置することになる。換言すれば、可動筒部１Ｂの下側開放溝部１６は、固定筒部１Ａの溶接ビード１ｂとの干渉を回避するのにも役立っている。
【００２３】
以上のように構成された足場板支持用ブラケットは、図１に仮想線で示すように、枠組み足場の外側に補助足場を仮設する場合に、当該枠組み足場を構成する建枠の外側の垂直な鋼管Ｐに取り付けて使用することができる。即ち、垂直部材２の下端に取り付けられている嵌合部材５を鋼管Ｐに嵌合させた状態で、垂直部材２の上端側に取り付けられているパイプクランプ４を従来周知の方法で鋼管Ｐの所定高さに締結させることにより、複数本の各鋼管Ｐの同一レベルにそれぞれ上記構成の足場板支持用ブラケットを取り付け、各ブラケットにおける足場板支持部材１で足場板を水平に支持させることができる。このとき足場板の幅、または幅方向の使用枚数に応じて、固定筒部１Ａに対して可動筒部１Ｂを伸縮させ、足場板支持部材１の全長、即ち、足場板落下止め突出片６と垂直部材２の上端のパイプ端嵌合部７との間の足場板支持部材１の足場板支持領域の幅を調整することができる。足場板支持部材１の足場板支持領域の幅を調整は、締結用ボルト１９を弛緩させた状態で可動筒部１Ｂを、下側開放溝部１６の両端狭幅部分１６ａ，１６ｂ間の長さの範囲内で固定筒部１Ａに対し出退移動させ、その後、締結用ボルト１９を締め付けて、その先端で可動筒部１Ｂの天井部１７ａを固定筒部１Ａの内周面に上向きに押圧固定することにより行われる。
【図面の簡単な説明】
【００２４】
【図１】Ａ図は一部縦断側面図、Ｂ図はＡ図のＡ−Ａ線断面図である。
【図２】平面図である。
【図３】Ａ図は正面図、Ｂ図は図１ＡのＢ−Ｂ線拡大断面図である。
【図４】図１Ａの一部切欠きＣ−Ｃ線断面図である。
【図５】Ａ図は足場板落下止め突出片の取り付け構造を説明する分解横断平面図、Ｂ図は取り付け前の足場板落下止め突出片の側面図である。
【図６】図１ＡのＤ−Ｄ線拡大断面図である。
【図７】図１ＡのＥ−Ｅ線拡大断面図である。
【符号の説明】
【００２５】
１    足場板支持部材
１Ａ    固定筒部
１Ｂ    可動筒部
２    垂直部材
３    支持部材
４    パイプクランプ
５    嵌合部材
６    足場板落下止め突出片
７    パイプ端嵌合部
９，１２，１８，２４    バーリング筒部
１０    ブラインドリベット
１１    リベット
１２ａ，１８ａ，２４ａ    貫通ねじ孔
１６    可動筒部の下側開放溝部
１６ａ，１６ｂ    下側開放溝部の両端の狭幅部分
１７ａ    可動筒部の天井部
１７ｂ，１７ｃ    可動筒部の垂直な左右両側部
１９    締結用ボルト
２１ａ，２１ｂ    足場板落下止め突出片の取付用舌片
２２ａ，２２ｂ    足場板落下止め突出片の取付用係止孔
Ｐ    鋼管
【図１】
2006070486.tif 000003
【図２】
2006070486.tif 000004
【図３】
2006070486.tif 000005
【図４】
2006070486.tif 000006
【図５】
2006070486.tif 000007
【図６】
2006070486.tif 000008
【図７】
2006070486.tif 000009